(57)【要約】【課題】電子ペンで記入した内容から、ユーザの任意のタイミングで任意の範囲のストロークを認識して使用することが可能な電子ペン、端末装置、及びプログラムを提供する。【解決手段】電子ペンは、開口部を有する筺体と、コード化パターンを読み取り、手書きのストロークに関する記入情報を生成する記入用電子ペン処理部と、記入用電子ペン処理部により生成された記入情報から、送信すべき記入情報の範囲を指定するための記入情報を生成する指定用電子ペン処理部と、記入用電子ペン処理部のペン先と、指定用電子ペン処理部のペン先とのいずれかを、開口部から突出していない収納状態から、開口部から突出した突出状態に遷移させるペン先遷移機構とを備える。【選択図】図８
2012256088.tif 000002
【特許請求の範囲】
【請求項１】
開口部を有する筺体と、
コード化パターンを読み取り、手書きのストロークに関する記入情報を生成する記入用電子ペン処理部と、
コード化パターンを読み取り、前記記入用電子ペン処理部により生成された記入情報から、送信すべき記入情報の範囲を指定するための記入情報を生成する指定用電子ペン処理部と、
前記記入用電子ペン処理部のペン先と、前記指定用電子ペン処理部のペン先とのいずれかを、前記開口部から突出していない収納状態から、前記開口部から突出した突出状態に遷移させるペン先遷移機構と
を備えることを特徴とする電子ペン。
【請求項２】
前記記入用電子ペン処理部と前記指定用電子ペン処理部のいずれより記入情報が生成されたか判定する判定手段と、
前記記入情報が、前記指定用電子ペン処理部により生成された場合、当該記入情報に基づきストロークを認識するストローク認識手段と、
前記ストローク認識手段により認識された前記ストロークが、閉領域を形成しているか否か判定する閉領域判定手段と、
前記ストロークが閉領域を形成していると前記閉領域判定手段が判定した場合、前記記入用電子ペン処理部により生成された記入情報から認識されるストロークのうち、前記閉領域内に位置するストロークについて、当該ストロークを認識するための情報を受信装置に送信するストローク情報送信手段と
を備えることを特徴とする請求項１に記載の電子ペン。
【請求項３】
前記ストローク情報送信手段が前記ストロークを認識するための情報を送信する場合に、前記ストロークを認識するための情報を送信する旨を通知するための音声出力を行う音声出力手段をさらに備えることを特徴とする請求項１または２に記載の電子ペン。
【請求項４】
前記ストロークが閉領域を形成していると前記閉領域判定手段が判定した場合、前記閉領域内に位置するストロークから構成される文字を認識する文字認識手段をさらに備え、
前記ストローク情報送信手段は、前記文字認識手段が認識した文字のコードを、前記ストロークを認識するための情報として送信することを特徴とする請求項１乃至３のいずれか一項に記載の電子ペン。
【請求項５】
請求項１に記載の電子ペンから前記記入情報を受信する記入情報受信手段と、
前記記入用電子ペン処理部と前記指定用電子ペン処理部のいずれより前記記入情報が生成されたか判定する判定手段と、
前記記入情報が、前記指定用電子ペン処理部により生成された場合、当該記入情報に基づきストロークを認識するストローク認識手段と、
前記ストローク認識手段により認識された前記ストロークが、閉領域を形成しているか否か判定する閉領域判定手段と、
前記ストロークが閉領域を形成していると前記閉領域判定手段が判定した場合、前記記入用電子ペン処理部により生成された記入情報から認識されるストロークのうち、前記閉領域内に位置するストロークについて、当該ストロークを認識するための情報を受信装置に送信するストローク情報送信手段と
を備えることを特徴とする端末装置。
【請求項６】
前記電子ペンは、前記記入用電子ペン処理部と前記指定用電子ペン処理部のいずれより記入情報が生成されたかの判定を行い、前記記入情報と共に当該判定の結果を示す情報を前記端末装置に送信し、
前記記入情報受信手段は、前記電子ペンから、前記判定の結果を示す情報を受信し、
前記判定手段は、前記判定の結果を示す情報から、前記記入用電子ペン処理部と前記指定用電子ペン処理部のいずれより前記記入情報が生成されたか判定することを特徴とする請求項５に記載の端末装置。
【請求項７】
前記ストローク情報送信手段が前記ストロークを認識するための情報を送信する場合に、前記ストロークを認識するための情報を送信する旨を通知するための音声出力を行う音声出力手段をさらに備えることを特徴とする請求項５または６に記載の端末装置。
【請求項８】
前記ストロークが閉領域を形成していると前記閉領域判定手段が判定した場合、前記閉領域内に位置するストロークから構成される文字を認識する文字認識手段をさらに備え、
前記ストローク情報送信手段は、前記文字認識手段が認識した文字のコードを、前記ストロークを認識するための情報として送信することを特徴とする請求項５乃至７のいずれか一項に記載の端末装置。
【請求項９】
請求項１に記載の電子ペンにより実行されるプログラムであって、
前記記入用電子ペン処理部と前記指定用電子ペン処理部のいずれより記入情報が生成されたか判定する判定手段、
前記記入情報が、前記指定用電子ペン処理部により生成された場合、当該記入情報に基づきストロークを認識するストローク認識手段、
前記ストローク認識手段により認識された前記ストロークが、閉領域を形成しているか否か判定する閉領域判定手段、
前記ストロークが閉領域を形成していると前記閉領域判定手段が判定した場合、前記記入用電子ペン処理部により生成された記入情報から認識されるストロークのうち、前記閉領域内に位置するストロークについて、当該ストロークを認識するための情報を受信装置に送信するストローク情報送信手段
として前記電子ペンを機能させることを特徴とするプログラム。
【請求項１０】
前記ストローク情報送信手段が前記ストロークを認識するための情報を送信する場合に、前記ストロークを認識するための情報を送信する旨を通知するための音声出力を行う音声出力手段としてさらに前記電子ペンを機能させることを特徴とする請求項９に記載のプログラム。
【請求項１１】
前記ストロークが閉領域を形成していると前記閉領域判定手段が判定した場合、前記閉領域内に位置するストロークから構成される文字を認識する文字認識手段としてさらに前記電子ペンを機能させ、
前記ストローク情報送信手段は、前記文字認識手段が認識した文字のコードを、前記ストロークを認識するための情報として送信することを特徴とする請求項９または１０に記載のプログラム。
【請求項１２】
端末装置により実行されるプログラムであって、
請求項１に記載の電子ペンから前記記入情報を受信する記入情報受信手段、
前記記入用電子ペン処理部と前記指定用電子ペン処理部のいずれより記入情報が生成されたか判定する判定手段、
前記記入情報が、前記指定用電子ペン処理部により生成された場合、当該記入情報に基づきストロークを認識するストローク認識手段、
前記ストローク認識手段により認識された前記ストロークが、閉領域を形成しているか否か判定する閉領域判定手段、
前記ストロークが閉領域を形成していると前記閉領域判定手段が判定した場合、前記記入用電子ペン処理部により生成された記入情報から認識されるストロークのうち、前記閉領域内に位置するストロークについて、当該ストロークを認識するための情報を受信装置に送信するストローク情報送信手段
として前記端末装置を機能させることを特徴とするプログラム。
【請求項１３】
前記電子ペンは、前記記入用電子ペン処理部と前記指定用電子ペン処理部のいずれより記入情報が生成されたかの判定を行い、前記記入情報と共に当該判定の結果を示す情報を前記端末装置に送信し、
前記記入情報受信手段は、前記電子ペンから、前記判定の結果を示す情報を受信し、
前記判定手段は、前記判定の結果を示す情報から、前記記入用電子ペン処理部と前記指定用電子ペン処理部のいずれより前記記入情報が生成されたか判定することを特徴とする請求項１２に記載のプログラム。
【発明の詳細な説明】
【技術分野】
【０００１】
本発明は、電子ペンで読み取り可能なコード化パターンを利用した技術に関する。
【背景技術】
【０００２】
近年、記入した情報を電子化する電子ペンが開発されており、その代表的なものとしてスウェーデンのＡｎｏｔｏ社が開発した「アノトペン（Ａｎｏｔｏ  ｐｅｎ）」が知られている。アノトペンは、所定のドットパターンが印刷された専用紙とともに使用される。アノトペンは、ペン先部に、文字等を書くための通常のインクカートリッジに加えて、専用紙に印刷されたドットパターンを撮像するための小型カメラと、撮像したドットパターンから専用紙における位置座標を演算するプロセッサと、演算された位置座標等を外部機器へ送信するデータ通信ユニットとを搭載している。ユーザが専用紙上にアノトペンで文字等を書いたり、専用紙上に図案化されている画像にチェックマークを記入したりすると、ペンの移動に伴って小型カメラが専用紙に印刷されたドットパターンを撮像し、プロセッサによって演算された連続する位置座標から、ユーザが書き込んだ文字、画像などの記入情報が認識される。そして、この記入情報が、データ通信ユニットによりアノトペンから近くのパーソナルコンピュータや携帯電話などの端末装置に送信される（例えば、特許文献１参照）。
【０００３】
特許文献２には、ドットパターンが形成されたノートに対して、電子ペンで記入したストロークがサーバに記憶されるシステムが開示されている。このシステムでは、ノートの行確認マークを通る四角形を電子ペンで描くと、サーバは、その四角形によって囲まれた領域に描かれたストロークのイメージデータに対して、所定の処理を行う。さらに、特許文献３には、用紙に電子ペンで記入した情報をコンピュータ装置が電子ペンから受信し、コンピュータ装置は用紙に電子ペンで記入した内容をプロジェクタによりスクリーンへ投影させて表示させるシステムが開示されている。また、上述したような電子ペンに対して無線通信機能を備える技術が、特許文献４に開示されている。また、無線通信機能に関しては、個体識別を行うＳＩＭ（Ｓｕｂｓｃｒｉｂｅｒ  Ｉｄｅｎｔｉｔｙ  Ｍｏｄｕｌｅ  Ｃａｒｄ）カードを持たせて、３Ｇ（３ｒｄ  Ｇｅｎｅｒａｔｉｏｎ）の無線通信方式に準拠した無線通信を行う技術が、特許文献５に開示されている。
【先行技術文献】
【特許文献】
【０００４】
【特許文献１】特許第３８４２２８３号公報
【特許文献２】特許第４２７６９５７号公報
【特許文献３】特開２００９−０２０６３１号公報
【特許文献４】特表２００３−５１９４２３号公報
【特許文献５】特開２００８−３０６７２１号公報
【発明の概要】
【発明が解決しようとする課題】
【０００５】
学校教室での協働学習や会議では、参加者の各々が用紙にメモ書きを行った後、必要に応じてメモ書きから必要な部分を抽出して他の参加者が視認できるようにスクリーンなどに表示させたい場合がある。この場合、用紙に記載したメモ書きから表示させたい部分をユーザが任意のタイミングかつ任意の範囲で特定できると便宜である。そこで、本発明は、電子ペンで記入した内容から、ユーザの任意のタイミングで任意の範囲のストロークを特定して使用することが可能な電子ペン、端末装置、及びプログラムを提供することを主な課題とする。
【課題を解決するための手段】
【０００６】
本発明に係る電子ペンの一態様では、開口部を有する筺体と、コード化パターンを読み取り、手書きのストロークに関する記入情報を生成する記入用電子ペン処理部と、コード化パターンを読み取り、前記記入用電子ペン処理部により生成された記入情報から、送信すべき記入情報の範囲を指定するための記入情報を生成する指定用電子ペン処理部と、前記記入用電子ペン処理部のペン先と、前記指定用電子ペン処理部のペン先とのいずれかを、前記開口部から突出していない収納状態から、前記開口部から突出した突出状態に遷移させるペン先遷移機構とを備える。
【０００７】
この構成により、コード化パターンを読み取り、手書きのストロークに関する記入情報を生成する記入用電子ペン処理部と、コード化パターンを読み取り、記入用電子ペン処理部により生成された記入情報から、送信すべき記入情報の範囲を指定するための記入情報を生成する指定用電子ペン処理部とのいずれかのペン先を筺体から突出させることが可能である。ここで、記入用電子ペン処理部及び指定用電子ペン処理部のうち、コード化パターンを読み取る機構、及び、読み取ったコード化パターンから記入情報を生成する処理部については、記入用電子ペン処理部及び指定用電子ペン処理部で共有されていてもよい。この構成によれば、ユーザは、当該電子ペンの記入用電子ペン処理部を用いて、コード化パターンが印刷された用紙等に書込みを行った後、必要な記入部分を指定用電子ペン処理部により指定することが可能となる。従って、電子ペンは、電子ペンで記入した内容から、ユーザの任意のタイミングで任意の範囲のストロークを特定させて使用させることができる。
【０００８】
上記の電子ペンの一態様では、前記記入用電子ペン処理部と前記指定用電子ペン処理部のいずれより記入情報が生成されたか判定する判定手段と、前記記入情報が、前記指定用電子ペン処理部により生成された場合、当該記入情報に基づきストロークを認識するストローク認識手段と、前記ストローク認識手段により認識された前記ストロークが、閉領域を形成しているか否か判定する閉領域判定手段と、前記ストロークが閉領域を形成していると前記閉領域判定手段が判定した場合、前記記入用電子ペン処理部により生成された記入情報から認識されるストロークのうち、前記閉領域内に位置するストロークについて、当該ストロークを認識するための情報を受信装置に送信するストローク情報送信手段とを備える。ここで、「ストロークが閉領域を形成している」とは、一つのストロークが閉領域を形成する場合に限らず、複数のストロークにより一つの閉領域を形成する場合も含む。このようにすることで、ユーザは、電子ペンの記入用電子ペン処理部により書き込んだ内容のうち、使用したい部分について、電子ペンの指定用電子ペン処理部により閉領域のストロークで囲むことで、当該閉領域内のストロークの情報を送信させることができる。従って、電子ペンは、電子ペンで記入した内容から、ユーザの任意のタイミングで任意の範囲のストロークを特定させて使用させることができる。
【０００９】
上記の電子ペンの他の一態様では、前記ストローク情報送信手段が前記ストロークを認識するための情報を送信する場合に、前記ストロークを認識するための情報を送信する旨を通知するための音声出力を行う音声出力手段をさらに備える。この態様により、ユーザは、ストロークの情報が適切に送信されたか容易に把握することができる。
【００１０】
上記の電子ペンの他の一態様では、前記ストロークが閉領域を形成していると前記閉領域判定手段が判定した場合、前記閉領域内に位置するストロークから構成される文字を認識する文字認識手段をさらに備え、前記ストローク情報送信手段は、前記文字認識手段が認識した文字のコードを、前記ストロークを認識するための情報として送信する。この態様により、電子ペンは、好適に、生成した記入情報から、ユーザが指定した文字の情報を抽出して送信することができる。
【００１１】
本発明に係る端末装置の一態様では、請求項１に記載の電子ペンから前記記入情報を受信する記入情報受信手段と、前記記入用電子ペン処理部と前記指定用電子ペン処理部のいずれより前記記入情報が生成されたか判定する判定手段と、前記記入情報が、前記指定用電子ペン処理部により生成された場合、当該記入情報に基づきストロークを認識するストローク認識手段と、前記ストローク認識手段により認識された前記ストロークが、閉領域を形成しているか否か判定する閉領域判定手段と、前記ストロークが閉領域を形成していると前記閉領域判定手段が判定した場合、前記記入用電子ペン処理部により生成された記入情報から認識されるストロークのうち、前記閉領域内に位置するストロークについて、当該ストロークを認識するための情報を受信装置に送信するストローク情報送信手段と
を備える。
【００１２】
この態様により、端末装置は、電子ペンから記入情報を受信し、指定用電子ペン処理部により記入情報が生成されたと判定した場合には、当該記入情報から認識したストロークが閉領域を形成しているか否か判定する。そして、端末装置は、認識したストロークが閉領域を形成している場合、記入用電子ペン処理部により生成された記入情報から認識したストロークのうち、当該閉領域内に位置するストロークについて、当該ストロークを認識するための情報を受信装置に送信する。この態様によっても、ユーザは、電子ペンの記入用電子ペン処理部により書き込んだ内容のうち、使用したい部分について、電子ペンの指定用電子ペン処理部により閉領域のストロークで囲むことで、当該閉領域内のストロークの情報を所定の端末等に送信させることができる。従って、端末装置は、電子ペンから受信した記入情報から、ユーザが電子ペンにより指定したストロークの情報のみを抽出し、送信することができる。
【００１３】
上記の端末装置の一態様では、前記電子ペンは、前記記入用電子ペン処理部と前記指定用電子ペン処理部のいずれより記入情報が生成されたかの判定を行い、前記記入情報と共に当該判定の結果を示す情報を前記端末装置に送信し、前記記入情報受信手段は、前記電子ペンから、前記判定の結果を示す情報を受信し、前記判定手段は、前記判定の結果を示す情報から、前記記入用電子ペン処理部と前記指定用電子ペン処理部のいずれより前記記入情報が生成されたか判定する。この態様により、端末装置は、記入用電子ペン処理部と指定用電子ペン処理部のいずれより記入情報が生成されたか的確に判定することができ、ユーザが送信する意図を有している場合にのみ適切に閉領域内のストロークの情報を送信することができる。
【００１４】
上記の端末装置の他の一態様では、前記ストローク情報送信手段が前記ストロークを認識するための情報を送信する場合に、前記ストロークを認識するための情報を送信する旨を通知するための音声出力を行う音声出力手段をさらに備える。この態様により、ユーザは、ストロークの情報が適切に送信されたか容易に把握することができる。
【００１５】
上記の端末装置の他の一態様では、前記ストロークが閉領域を形成していると前記閉領域判定手段が判定した場合、前記閉領域内に位置するストロークから構成される文字を認識する文字認識手段をさらに備え、前記ストローク情報送信手段は、前記文字認識手段が認識した文字のコードを、前記ストロークを認識するための情報として送信する。この態様により、端末装置は、好適に、電子ペンから受信した記入情報から、ユーザが指定した文字の情報を抽出して送信することができる。
【００１６】
本発明に係るプログラムの一態様では、請求項１に記載の電子ペンにより実行されるプログラムであって、前記記入用電子ペン処理部と前記指定用電子ペン処理部のいずれより記入情報が生成されたか判定する判定手段、前記記入情報が、前記指定用電子ペン処理部により生成された場合、当該記入情報に基づきストロークを認識するストローク認識手段、前記ストローク認識手段により認識された前記ストロークが、閉領域を形成しているか否か判定する閉領域判定手段、前記ストロークが閉領域を形成していると前記閉領域判定手段が判定した場合、前記記入用電子ペン処理部により生成された記入情報から認識されるストロークのうち、前記閉領域内に位置するストロークについて、当該ストロークを認識するための情報を受信装置に送信するストローク情報送信手段として前記電子ペンを機能させる。
【００１７】
上記のプログラムの他の一態様では、前記ストローク情報送信手段が前記ストロークを認識するための情報を送信する場合に、前記ストロークを認識するための情報を送信する旨を通知するための音声出力を行う音声出力手段としてさらに前記電子ペンを機能させる。
【００１８】
上記のプログラムの他の一態様では、前記ストロークが閉領域を形成していると前記閉領域判定手段が判定した場合、前記閉領域内に位置するストロークから構成される文字を認識する文字認識手段としてさらに前記電子ペンを機能させ、前記ストローク情報送信手段は、前記文字認識手段が認識した文字のコードを、前記ストロークを認識するための情報として送信する。
【００１９】
本発明に係るプログラムの他の態様では、端末装置により実行されるプログラムであって、請求項１に記載の電子ペンから前記記入情報を受信する記入情報受信手段、前記記入用電子ペン処理部と前記指定用電子ペン処理部のいずれより記入情報が生成されたか判定する判定手段、前記記入情報が、前記指定用電子ペン処理部により生成された場合、当該記入情報に基づきストロークを認識するストローク認識手段、前記ストローク認識手段により認識された前記ストロークが、閉領域を形成しているか否か判定する閉領域判定手段、前記ストロークが閉領域を形成していると前記閉領域判定手段が判定した場合、前記記入用電子ペン処理部により生成された記入情報から認識されるストロークのうち、前記閉領域内に位置するストロークについて、当該ストロークを認識するための情報を受信装置に送信するストローク情報送信手段として前記端末装置を機能させる。
【００２０】
上記のプログラムの他の一態様では、前記電子ペンは、前記記入用電子ペン処理部と前記指定用電子ペン処理部のいずれより記入情報が生成されたかの判定を行い、前記記入情報と共に当該判定の結果を示す情報を前記端末装置に送信し、前記記入情報受信手段は、前記電子ペンから、前記判定の結果を示す情報を受信し、前記判定手段は、前記判定の結果を示す情報から、前記記入用電子ペン処理部と前記指定用電子ペン処理部のいずれより前記記入情報が生成されたか判定する。
【００２１】
これらのプログラムを電子ペンないし端末装置にインストールして機能させることで、本発明に係る電子ペンないし端末装置を構成させることができる。
【発明の効果】
【００２２】
本発明によれば、電子ペンは、コード化パターンを読み取り、手書きのストロークに関する記入情報を生成する記入用電子ペン処理部と、記入用電子ペン処理部により生成された記入情報から、送信すべき記入情報の範囲を指定するための記入情報を生成する指定用電子ペン処理部とのいずれかのペン先を筺体から突出させることが可能である。従って、この構成によれば、ユーザは、当該電子ペンの記入用電子ペン処理部を用いて、コード化パターンが印刷された用紙等に書込みを行った後、必要な記入部分を指定用電子ペン処理部により指定することが可能となる。従って、電子ペンは、電子ペンで記入した内容から、ユーザの任意のタイミングで任意の範囲のストロークを特定させて使用させることができる。
【００２３】
また、端末装置は、電子ペンから記入情報を受信し、指定用電子ペン処理部により記入情報が生成されたと判定した場合、かつ、当該記入情報から認識したストロークが閉領域を形成している場合、記入用電子ペン処理部により生成された記入情報から認識したストロークのうち、当該閉領域内に位置するストロークについて、当該ストロークを認識するための情報を送信する。これにより、端末装置は、電子ペンから受信した記入情報から、ユーザが電子ペンにより指定したストロークの情報のみを抽出し、送信することができる。
【図面の簡単な説明】
【００２４】
【図１】第１実施形態に係る送信ストローク特定システムの構成図である。
【図２】ドットパターンにおけるドットの配置と変換される値との関係を示す説明図である。
【図３】（ａ）は、ドットパターンを模式的に示し、（ｂ）は、それに対応する情報の例を示す図である。
【図４】電子ペンの分解斜視図である。
【図５】図４の矢印「ＡＡ」、「ＡＢ」の方向に電子ペンを切断した場合の断面図を示す。
【図６】図４の矢印「ＢＡ」、「ＢＢ」の方向に電子ペンを切断した場合の断面図を示す。
【図７】コンピュータ装置の機能ブロック図である。
【図８】電子ペンの処理フローを示すフローチャートである。
【図９】（Ａ）は、電子ペンにより既に記入されたストロークを囲む閉領域のストロークが記入された後のドットパターン用紙の状態を示し、（Ｂ）は、コンピュータ装置が表示する画面を示す。
【図１０】第１実施形態の変形例に係る電子ペンの概略構成図である。
【図１１】変形例に係る電子ペンの断面図を示す。
【図１２】記入用電子ペン部及び領域指定用電子ペン部に設けられた構造を示す。
【図１３】変形例に係る送信ストローク特定システムの構成図である。
【図１４】第２実施形態に係る送信ストローク特定システムの構成図である。
【図１５】端末装置の機能的な構成を示す概略図である。
【図１６】第２実施形態において端末装置が実行する処理フローを示すフローチャートである。
【図１７】（Ａ）は、電子ペンにより既に記入されたストロークを囲む閉領域のストロークが記入された後のドットパターン用紙の状態を示し、（Ｂ）は、端末装置が表示する画面を示し、（Ｃ）は、コンピュータ装置が表示する画面を示す。
【図１８】第２実施形態の変形例に係る送信ストローク特定システムの構成を示す。
【発明を実施するための形態】
【００２５】
以下、図面を参照しながら、本発明を実施するのに好適な第１実施形態及び第２実施形態について説明する。以下に説明する各実施形態に係る送信ストローク特定システムは、学校教室での協働学習や遠隔会議などに好適に適用され、記入したストロークのうち、記入情報として送信するストロークをユーザが特定して送信可能なシステムである。
【００２６】
＜第１実施形態＞
［送信ストローク特定システムの構成］
図１は、第１実施形態に係る送信ストローク特定システムの構成を示す。図１に示すように、第１実施形態の送信ストローク特定システムは、ユーザが使用する電子ペン１（１Ａ、１Ｂ）と、ドットパターンが印刷されたドットパターン用紙２と、電子ペン１から記入情報等を受信して処理するコンピュータ装置３と、コンピュータ装置３と接続され、そのディスプレイの表示画面と同じ画像をドットスクリーン５に投影するプロジェクタ４と、ドットパターンが印刷されたドットスクリーン５とを備える。以下、これらの各構成要素について説明する。
【００２７】
（ドットパターン用紙）
まず、ドットパターン用紙（電子ペン用用紙）２について説明する。ドットパターン用紙２には、プリンターなどにより、その略全面に後述する位置座標を示すドットパターン（コード化パターン）が印刷される。ドットパターンは、電子ペン１により読み取ることができるように赤外線を吸収するカーボンを含んだインクにより印刷される。
【００２８】
（ドットスクリーン）
ドットスクリーン５は、白地の樹脂基板に、電子ペン１により読み取ることができるよう赤外線を吸収するカーボンを含んだインクによりドットパターン（コード化パターン）が印刷され、さらにドットパターンが例えば透明なＥＢ硬化樹脂層などで保護された層構成を有している。
【００２９】
（ドットパターン）
続いて、ドットパターン用紙２やドットスクリーン５に印刷されたアノト方式のドットパターン（コード化パターン）について図２及び図３を用いて説明する。図２は、ドットパターンのドットとそのドットが変換される値との関係を説明する図である。図２に示すように、ドットパターンの各ドットは、その位置によって所定の値に対応付けられている。すなわち、ドットの位置を仮想格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組合せにより、ドットパターン用紙２やドットスクリーン５上の位置座標が決定されるよう構成されている。なお、ドットパターン用紙２とドットスクリーン５とでは座標領域が重ならないようドットパターンが形成される。
【００３０】
図３（ａ）は、あるドットパターンの配列を示している。図３（ａ）に示すように、縦横約２ｍｍの範囲内に６×６個のドットが、ドットパターン用紙２やドットスクリーン５上のどの部分から６×６ドットを取ってもユニークなパターンとなるように配置されている。これら３６個のドットにより形成されるドットパターンは位置座標（例えば、そのドットパターンがドットパターン用紙２やドットスクリーン５上のどの位置にあるのか）を保持している。図３（ｂ）は、図３（ａ）に示す各ドットを、格子の基準位置からのシフト方向によって、図２に示す規則性に基づいて対応づけられた値に変換したものである。この変換は、ドットパターンの画像を撮影する電子ペン１によって行われる。
【００３１】
（電子ペン）
次に、電子ペン１の構造について説明する。図４は、電子ペン１Ａの分解斜視図である。また、図５は、図４の矢印「ＡＡ」、「ＡＢ」の方向に電子ペン１Ａを切断した場合の断面図を示し、図６は、図４の矢印「ＢＡ」、「ＢＢ」の方向に電子ペン１Ａを切断した場合の断面図を示す。概略的には、電子ペン１Ａは、ドットパターン用紙２に記入を行うための記入用電子ペン部１０４と、ドットパターン用紙２に記入された内容から送信対象となるストロークを指定するための領域指定用電子ペン部１１４とを有する。そして、電子ペン１Ａは、ノック操作により、記入用電子ペン部１０４のペン先部１０３と、領域指定用電子ペン部１１４のペン先部１１３とのいずれかを開口部１０２から突出させることが可能な複合式のペンである。
【００３２】
ペン部側筺体１０１Ａ及びノック操作側筺体１０１Ｂは、本発明における「筺体」の一例であり、基板１００、記入用電子ペン部１０４、領域指定用電子ペン部１１４、ノック操作部１２９、１３９などを収納する。そして、ペン部側筺体１０１Ａはスレッド部１１５と螺合し、ノック操作側筺体１０１Ｂはガイド部１１６と螺合することで、ペン部側筺体１０１Ａとノック操作側筺体１０１Ｂとが一体に固定される。
【００３３】
図４に示すように記入用電子ペン部１０４は、ペン先部１０３と反対に位置する端部と嵌合するバネ１２０を介してノック操作部１２９と接続する。同様に、領域指定用電子ペン部１１４は、ペン先部１１３と反対に位置する端部と嵌合するバネ１３０を介してノック操作部１３９と接続する。また、ノック操作部１２９の突出部１２１は、電子ペン１Ａの長手方向に延在するスリット部１２２から突出する。同様に、ノック操作部１３９の突出部１３１は、電子ペン１Ａの長手方向に延在するスリット部１３２から突出する。
【００３４】
また、ノック操作側筺体１０１Ｂには、図５に示すようにストッパ１２５が設けられている。ストッパ１２５は、操作により突出部１２１が開口部１０２の方向（単に「ペン先方向」とも呼ぶ。）に押し出された場合に、ノック操作部１２９の溝部１２８に端部が嵌め込まれ、ノック操作部１２９を固定する。この場合、ペン先部１０３は、開口部１０２に対して突出した状態（単に「突出状態」とも呼ぶ。）となる。同様に、ストッパ１２５は、操作により突出部１３１がペン先方向に押し出された場合に、ノック操作部１３９の溝部１３８に端部が嵌め込まれ、ノック操作部１３９を固定する。この場合、ペン先部１１３は、突出状態となる。
【００３５】
また、図５に示すように、ペン先部１０３が突出状態の場合に、突出部１３１をペン先方向に押し出す操作（ノック操作）が行われた場合、ノック操作部１３９の隆起部１３３、１３４がノック操作部１２９をスリット部１２２の方向に押し出す。これにより、溝部１２８からストッパ１２５の端部が外れる。従って、この場合には、バネ１２０の復元力により、ノック操作部１２９は、ペン先方向と逆方向に付勢されてストッパ１２５に沿って移動し、ペン先部１０３がペン部側筺体１０１Ａ内に収納された状態（単に、「収納状態」とも呼ぶ。）となる。同様に、ペン先部１１３が突出状態の場合に、突出部１２１をペン先方向に押し出す操作（ノック操作）が行われた場合、ノック操作部１２９の隆起部１２３、１２４がノック操作部１３９をスリット部１３２の方向に押し出す。これにより、溝部１３８からストッパ１２５の端部が外れる。従って、この場合には、バネ１３０の復元力により、ノック操作部１３９は、ペン先方向と逆方向に付勢されてストッパ１２５に沿って移動し、ペン先部１１３は収納状態となる。
【００３６】
以上のように、電子ペン１Ａは、ノック操作により、記入用電子ペン部１０４のペン先部１０３が突出状態かつ領域指定用電子ペン部１１４のペン先部１１３が収納状態となる状態（第１の状態）、ペン先部１０３が収納状態かつペン先部１１３が突出状態となる状態（第２の状態）、又は、ペン先部１０３が収納状態かつペン先部１１３が収納状態となる状態（第３の状態）のいずれかの状態に切り替わる。そして、ノック操作部１２９、１３９、バネ１２０、１３０、及びストッパ１２５は、本発明における「ペン先遷移機構」の一例である。
【００３７】
次に、記入用電子ペン部１０４について具体的に説明する。記入用電子ペン部１０４の先端は、プラスチックやステンレスなどの素材により形成されたペン先部１０３となっており、ユーザは、記入用電子ペン部１０４のペン先部１０３をドットパターン用紙２上に当接させて、ストローク（手書きストローク）を記入する。ここで、ペン先部１０３がドットパターン用紙２に最初に接触することをペンダウンと呼び、接触している（当接している）状態からペン先部１０３が離れることをペンアップと呼ぶ。ペン先部１０３のペンダウンからペンアップまでの間に記入される軌跡が１つのストロークとなり、文字や図形等は、１つ又は複数個のストロークからなる。また、記入用電子ペン部１０４の内部には、インクカートリッジが装填されている。これにより、記入用電子ペン部１０４は、ボールペンとしても機能し、ドットパターン用紙２への書き込み後、記入内容がドットパターン用紙２上でユーザに視認可能となる。
【００３８】
さらに、記入用電子ペン部１０４には、圧力センサ１０７が設けられている。圧力センサ１０７は、ユーザがペン先部１０３を開口部１０２から突出させて、ドットパターン用紙２に文字やマークを書いたりタップしたりする際にペン先部１０３から伝達される圧力、即ち筆圧を検出し、その値を後述するプロセッサ１０８へ伝送する。
【００３９】
次に、領域指定用電子ペン部１１４について説明する。領域指定用電子ペン部１１４の先端は、プラスチックやステンレスなどの素材により形成されたペン先部１１３となっており、ユーザは、領域指定用電子ペン部１１４のペン先部１１３をディスプレイ装置３のドットパターン用紙２またはドットスクリーン５上に当接させて、ストローク（手書きストローク）を記入する。ペン先部１１３のペンダウンからペンアップまでの間に記入される軌跡が１つのストロークとなり、文字や図形等は、１つ又は複数個のストロークからなる。なお、領域指定用電子ペン部１１４の内部には、インクカートリッジが装填されていない。これにより、ドットパターン用紙２への書き込み後、ドットパターン用紙２にインクが残らない。
【００４０】
さらに、領域指定用電子ペン部１１４には、圧力センサ１１７が設けられている。圧力センサ１１７は、ユーザがペン先部１１３を開口部１０２から突出させて、ドットパターン用紙２またはドットスクリーン５に文字やマークを書いたりタップしたりする際にペン先部１１３から伝達される圧力、即ち筆圧を検出し、その値を後述するプロセッサ１０８へ伝送する。
【００４１】
次に、基板１００に載置される各要素について図６を参照して説明する。基板部１００には、主に、ＬＥＤ１０５、ＣＭＯＳカメラ１０６、ＣＰＵ等により構成されるプロセッサ１０８、ＲＯＭやＲＡＭといったメモリ１０９、リアルタイムクロック１１０、アンテナ等により構成される通信ユニット１１１が設けられている。
【００４２】
リアルタイムクロック１１０は、現在時刻（タイムスタンプ）を示す時刻情報を発信し、プロセッサ１０８に供給する。
【００４３】
プロセッサ１０８は、圧力センサ１０７から与えられる筆圧データに基づいて、ＬＥＤ１０５及びＣＭＯＳカメラ１０６のスイッチのオン／オフを切替える。即ち、ユーザが記入用電子ペン部１０４のペン先部１０３を突出状態にしてドットパターン用紙２上に文字などを書くと、ペン先部１０３に筆圧がかかり、圧力センサ１０７によって所定値以上の筆圧が検出されたときに、プロセッサ１０８は、ユーザが記入を開始したと判定して、ＬＥＤ１０５及びＣＭＯＳカメラ１０６を作動させる。同様に、ユーザが領域指定用電子ペン部１１４のペン先部１１３を突出状態にしてドットパターン用紙２上に文字などを記入する（なぞる）と、ペン先部１０３に筆圧がかかり、圧力センサ１１７によって所定値以上の筆圧が検出されたときに、プロセッサ１０８は、ユーザが記入を開始したと判定して、ＬＥＤ１０５及びＣＭＯＳカメラ１０６を作動させる。そして、通信ユニット１１１が、圧力センサ１０７、１１７により検出されたペンダウン情報（「ペンダウン情報ＰＤ」と呼ぶ。）と、後述する電子ペン１の識別情報（以後、「ペンＩＤ」と呼ぶ。）とを関連付けて、記入情報としてコンピュータ装置３へ送信する。また、ユーザが１つのストロークを記入し終えて記入用電子ペン部１０４のペン先部１０３を記入用紙４から離すと、圧力センサ１０７は、所定値以上の筆圧が検出されなくなることでペンアップを検出する。同様に、ユーザが１つのストロークを記入し終えて領域指定用電子ペン部１１４のペン先部１１３をドットパターン用紙２から離すと、圧力センサ１１７は、所定値以上の筆圧が検出されなくなることでペンアップを検出する。すると、通信ユニット１１１が、圧力センサ１０７又は圧力センサ１１７により検出されたペンアップ情報（「ペンアップ情報ＰＵ」と呼ぶ。）とペンＩＤとを関連付けて、記入情報としてコンピュータ装置３へ送信する。
【００４４】
ＬＥＤ１０５とＣＭＯＳカメラ１０６は、電子ペン１Ａのペン先部１０３及びペン先部１１３付近に取り付けられており、ペン部側筐体１０１ＡにおけるＬＥＤ１０５及びＣＭＯＳカメラ１０６と対向する部分には、開口部１０２が形成されている。ＬＥＤ１０５は、ドットパターン用紙２上のペン先部１０３又はペン先部１１３近傍に向けて赤外線を照明する。その領域は、ペン先部１０３又はペン先部１１３がドットパターン用紙２に接触する位置とはわずかにずれている。ＣＭＯＳカメラ１０６には、赤外線を透過し赤外線以外を遮断する赤外線透過フィルタが設けられており、ＣＭＯＳカメラ１０６は、ＬＥＤ１０５によって照明された領域内におけるドットパターンを撮影し、そのドットパターンの画像データをプロセッサ１０８に供給する。ここで、ドットのインク素材は、赤外線を吸収するため、ＬＥＤ１０５によって照射された赤外線は、ドットによって吸収される。そのため、ドットの部分は、赤外線の反射量が比較的少なく、ドット以外の部分は赤外線の反射量が比較的多い。ＣＭＯＳカメラ１０６の撮影により、赤外線の反射量の違いから閾値を設けることによって、ドットの領域とそれ以外の領域を区別することができる。なお、ＣＭＯＳカメラ１０６による撮影領域は、図３（ａ）に示すような約２ｍｍ×約２ｍｍの大きさを含む範囲であり、ＣＭＯＳカメラ１０６の撮影は毎秒５０〜１００回程度の定間隔で行われる。また、ＣＭＯＳカメラ１０６は、ドットを鮮明に撮影するため、十分な被写界深度を有している。また、ＣＭＯＳカメラ１０６は、ドットを鮮明に撮影するため、十分な被写界深度を有している。
【００４５】
プロセッサ１０８は、ユーザの記入が行われる間、ＣＭＯＳカメラ１０６によって供給される画像データのドットパターンから、ユーザが記入するストローク（筆跡）のドットパターン用紙２におけるＸ、Ｙ座標（以後、単に「座標データ」または「座標情報」とも呼ぶ。）を連続的に演算していく。すなわち、プロセッサ１０８は、ＣＭＯＳカメラ１０６によって供給される、図３（ａ）に示されるようなドットパターンの画像データを図３（ｂ）に示すデータ配列に変換し、さらに、Ｘ座標ビット値・Ｙ座標ビット値に変換して、そのデータ配列から所定の演算方法によりＸ、Ｙ座標データを演算する。なお、プロセッサ１０８は、ドットパターンに対向する電子ペン１Ａの角度に起因するドットの画像上における配列を補正する回転補正処理機能を備えており、座標演算の際にその機能が発揮される。そして、プロセッサ１０８は、リアルタイムクロック１１０から発信される現在時刻（タイムスタンプ：記入された時刻情報）、筆圧データ及びＸ、Ｙ座標データを関連付ける。以後、これらの関連付けたデータを、まとめて「座標属性情報」と呼ぶ。なお、ドットパターン用紙２における６×６のドットパターンは、ドットパターン用紙２内でそれぞれ重複することはないため、ユーザが電子ペン１Ａで文字等を記入すると、記入された位置がドットパターン用紙２内のどの位置に当たるかを、プロセッサ１０８による座標演算により特定することができる。
【００４６】
メモリ１０９には、電子ペン１Ａを識別するための「ｐｅｎ０１」といったペンＩＤ、ペン製造者番号、ペンソフトウェアのバージョン等のプロパティ情報が記憶されている。そして、プロセッサ１０８は、ペンＩＤと、時刻情報（タイムスタンプ）と、筆圧データと、Ｘ、Ｙ座標データとを関連付けて、記入情報としてメモリ１０９に記憶させる。そして、プロセッサ１０８は、ペンダウンからペンアップまでの間に生成されてメモリ１０９に記憶された１個又は複数個の座標属性情報に基づき、ストロークを認識する。換言すると、１つのストロークは、１個又は複数個のＸ、Ｙ座標（座標点）からなり、プロセッサ１０８は、ペンダウン情報ＰＤ及びペンアップ情報ＰＵによって、１つのストロークを構成する１個又は複数個の座標属性情報を認識する。
【００４７】
そして、プロセッサ１０８は、領域指定用電子ペン部１１４のペン先部１１３が使用された場合に認識したストロークが閉領域を形成するストロークであると判定した場合、当該閉領域内のストロークに対応する記入情報を通信ユニット１１１によりコンピュータ装置３へ送信する。この場合、通信ユニット１１１によるコンピュータ装置３への送信は、Ｂｌｕｅｔｏｏｔｈ（登録商標）などの無線送信によって行われる。これについては、［処理フロー］及び［具体例］のセクションで詳しく説明する。
【００４８】
記入用電子ペン部１０４、圧力センサ１０７、及び基板１００のＬＥＤ１０５、ＣＭＯＳカメラ１０６、プロセッサ１０８等は、本発明における「記入用電子ペン処理部」の一例であり、領域指定用電子ペン部１１４、圧力センサ１１７、及び基板１００のＬＥＤ１０５、ＣＭＯＳカメラ１０６、プロセッサ１０８等は、本発明における「指定用電子ペン処理部」の一例である。
【００４９】
次に、ドットスクリーン５に記入するための電子ペン１Ｂについて説明する。電子ペン１Ｂでは、通信ユニットによるコンピュータ装置３へ記入情報の送信は、Ｂｌｕｅｔｏｏｔｈ（登録商標）などの無線送信によって、即時的かつ逐次的に行われる。なお、ドットスクリーン５に記入するための電子ペン１Ｂについては、ドットスクリーン５上の筆跡に合わせてストロークをプロジェクタ４に投影させるので、インクカートリッジが充填された電子ペン部を備えず、インクカートリッジが充填されていない電子ペン部のみを備えてもよい。
【００５０】
（コンピュータ装置）
次に、コンピュータ装置３について説明する。コンピュータ装置３は、ハードウェアとして、電子ペン１とのデータ通信が可能なアンテナ装置、ＣＰＵ等のプロセッサ、ＲＯＭやＲＡＭといったメモリ、ディスプレイ、マウスやキーボード等で構成される。なお、コンピュータ装置３は、ｉＰａｄ（登録商標）などのタブレットＰＣやＰＤＡ（Ｐｅｒｓｏｎａｌ  Ｄａｔａ  Ａｓｓｉｓｔａｎｃｅ）、またはディスプレイを備えるＰＣ（パーソナルコンピュータ）等で構成されてもよい。コンピュータ装置３は、本発明における「受信装置」の一例である。
【００５１】
図７は、コンピュータ装置３の機能ブロック図である。コンピュータ装置３は、機能的には、マウスやキーボードといった入力手段３１、通信手段３２、記憶手段３３、処理手段３４、表示手段３６、インターフェース３８を備える。通信手段３２は、アンテナ受信回路等により構成され、電子ペン１から記入情報を受信し、受信した情報を処理手段３４に伝送する。表示手段３６は、ディスプレイ等によって構成され、処理手段３４によって指示された内容を表示する。インターフェース３８は、プロジェクタ４と接続するためのインターフェースである。インターフェース３８は、処理手段３４の処理命令に基づき、表示手段３６に画像を表示するための画像信号をプロジェクタ４に送信し、表示手段３６の画像と同じ画像を同期して投影させる。
【００５２】
処理手段３４は、ＣＰＵ等のプロセッサによって構成され、コンピュータ装置３の全体の制御を行う。具体的には、電子ペン１Ａによって、ドットパターン用紙２への記入の際にドットパターンを読み取ることによって生成された記入情報を、コンピュータ装置３が受信すると、処理手段３４のストローク描画手段３４１は、記入情報に基づくストロークを表示手段３６に描画し表示させる。
【００５３】
また、処理手段３４は、キャリブレーション用マークを少なくとも２以上、表示手段３６に表示させることにより、プロジェクタ４に対し、ドットスクリーン５にもキャリブレーション用マークを投影させ、キャリブレーション用マークが投影された位置のドットパターンを電子ペン１Ｂに読み取らせて記入情報を受信することで、ドットスクリーン５のドットパターンにかかる座標系を表示手段３６のディスプレイにかかる座標系に変換するための座標変換関数を求める（キャリブレーション処理機能）。さらに、処理手段３４は、そのキャリブレーション処理により求められた座標変換関数を用いて、ドットスクリーン５のドットパターンにかかる座標系のデータを受信したときに、表示手段３６のディスプレイにかかる座標系のデータに変換し、ストロークを描画したり、所定の処理を行う。
【００５４】
記憶手段３３は、ＲＯＭやＲＡＭといったメモリによって構成される。記憶手段３３は、処理手段３４の処理命令により、電子ペン１から受信した記入情報をペンＩＤ毎に記憶する。また、記憶手段３３は、ドットパターン用紙２及びドットスクリーン５と、これに対応するドットパターンが示す座標範囲との関連付け情報（「座標定義情報」とも呼ぶ。）を記憶する。
【００５５】
［処理フロー］
次に、第１実施形態の電子ペン１Ａによる処理フローについて説明する。図８は、電子ペン１Ａが実行する処理フローを示すフローチャートである。図８に示す処理フローは、電子ペン１Ａの圧力センサ１０７により筆圧が検知されるごとに繰り返し実行される。
【００５６】
まず、ユーザが、ドットパターン用紙２に対し、電子ペン１Ａで文字の記入をすると、電子ペン１Ａの圧力センサ１０７又は圧力センサ１１７は、ペン先部１０３又はペン先部１１３から記入用電子ペン部１０４又は領域指定用電子ペン部１１４を通じて与えられる筆圧を検出し、その値をプロセッサ１０８へ伝送する（ステップＳ１０１）。そして、圧力センサ１０７又は圧力センサ１１７によって筆圧が検出されたときに、プロセッサ１０８は、ユーザが記入を開始したと判定して、ＬＥＤ１０５及びＣＭＯＳカメラ１０６を作動させる。プロセッサ１０８は、ペンダウン情報ＰＤを含む記入情報を生成する（ステップＳ１０２）。
【００５７】
そして、プロセッサ１０８は、圧力センサ１０７又は圧力センサ１１７によって検出された筆圧が「０」か否か判定し（ステップＳ１０３）、筆圧が「０」ではない場合（ステップＳ１０３；Ｎｏ）、ＬＥＤ１０５及びＣＭＯＳカメラ１０６を引き続き作動させることにより、ＬＥＤ１０５にドットパターン用紙２上のペン先部１０３又はペン先部１１３近傍に向けて赤外線を照明させると共に、ＬＥＤ１０５によって照明された領域内におけるドットパターンをＣＭＯＳカメラ１０６に撮影させる。そして、プロセッサ１０８は、ＣＭＯＳカメラ１０６によって供給される画像データのドットパターンから、ユーザが記入するストローク（筆跡）のドットパターン用紙２における座標データを連続的に演算する（ステップＳ１０４）。そして、プロセッサ１０８は、当該座標データ、リアルタイムクロック１１０から発信される時刻、及び筆圧データの座標属性情報と、ペンＩＤとを含む記入情報を生成する（ステップＳ１０５）。
【００５８】
一方、筆圧が「０」となった場合（ステップＳ１０３；Ｙｅｓ）、プロセッサ１０８は、圧力センサ１０７又は圧力センサ１１７により検出されたペンアップ情報ＰＵとペンＩＤとを含む記入情報を生成する（ステップＳ１０６）。そして、プロセッサ１０８は、電子ペン１Ａのペンダウンからペンアップまでの間に生成された記入情報をメモリ１０９に記憶させると共に、電子ペン１Ａのペンダウンからペンアップまでの間に生成された１個又は複数個の座標属性情報から特定されるストロークを認識する（ステップＳ１０７）。
【００５９】
次に、プロセッサ１０８は、記入用電子ペン部１０４に備えられた圧力センサ１０７又は領域指定用電子ペン部１１４に備えられた圧力センサ１１７のうち、いずれから筆圧を検知したか判定する（ステップＳ１０８）。そして、記入用電子ペン部１０４の圧力センサ１０７が筆圧を検知した場合（ステップＳ１０８：記入用ペン部での筆圧検知）、プロセッサ１０８は、フローチャートの処理を終了する。
【００６０】
一方、領域指定用電子ペン部１１４の圧力センサ１１７が筆圧を検知した場合（ステップＳ１０８：領域指定用ペン部での筆圧検知）、プロセッサ１０８は、認識したストロークが閉領域を形成しているか否か判定する（ステップＳ１０９）。そして、認識したストロークが閉領域を形成していない場合（ステップＳ１０９；Ｎｏ）、プロセッサ１０８は、フローチャートの処理を終了する。
【００６１】
一方、認識したストロークが閉領域を形成していると判定した場合（ステップＳ１０９；Ｙｅｓ）、プロセッサ１０８は、メモリ１０９に記憶させた記入情報から認識されるストロークのうち、当該閉領域内に記入用電子ペン部１０４により描かれたストロークが存在するか否か判定する（ステップＳ１１０）。そして、閉領域内に記入用電子ペン部１０４により描かれたストロークが存在しない場合（ステップＳ１１０；Ｎｏ）、プロセッサ１０８は、送信すべき記入情報がないことから、フローチャートの処理を終了する。
【００６２】
一方、閉領域内に記入用電子ペン部１０４により描かれたストロークが存在する場合（ステップＳ１１０；Ｙｅｓ）、プロセッサ１０８は、閉領域内に描かれたストロークに関する記入情報を、通信ユニット１１１によりコンピュータ装置３へ送信する（ステップＳ１１１）。そして、プロセッサ１０８は、送信した記入情報をメモリ１０９から削除すると共に、閉領域を構成するストロークに関する記入情報を削除する（ステップＳ１１２）。
【００６３】
［具体例］
次に、図８のフローチャートに示す処理の具体例について、図９（Ａ）、（Ｂ）を参照してさらに詳しく説明する。図９（Ａ）は、電子ペン１Ａにより既に記入されたストロークを囲む閉領域のストロークが記入された後のドットパターン用紙２の状態を示し、図９（Ｂ）は、コンピュータ装置３の表示手段３６が表示するコンピュータ装置画面３６０を示す。
【００６４】
図９（Ａ）に示すように、まず、ユーザは、電子ペン１Ａの記入用電子ペン部１０４のペン先１０３を突出状態にして、ドットパターン用紙２に必要なメモ書き等を行う。具体的には、ここでは、「グループ学習」と表題を記載した後、それぞれ「Ａ君の考え」、「Ｂ君の考え」、「Ｃ君の考え」を具体的に記載している。この場合、電子ペン１Ａは、圧力センサ１０７又は圧力センサ１１７が検出した筆圧及びＣＭＯＳカメラ１０６が生成したドットパターンの画像データ等に基づき記入情報を生成し（ステップＳ１０１乃至Ｓ１０６参照）、ペンアップがあるごとに、電子ペン１Ａのペンダウンからペンアップまでの間に生成された記入情報を記憶する（ステップＳ１０７参照）。
【００６５】
次に、ユーザは、ドットパターン用紙２に記載した「Ｂ君の考え」及び「Ｃ君の考え」の具体的内容を、コンピュータ装置画面３６０及びドットスクリーン５に表示させたいと思い、ノック操作により、領域指定用電子ペン部１１４のペン先１１３を突出状態にさせて、これらを囲む閉領域のストローク（破線枠２０参照）を記入する。なお、ドットパターン用紙２にはインクが付かないため、破線枠２０に相当する閉領域のストロークは視認されない。
【００６６】
この場合、電子ペン１Ａは、領域指定用電子ペン部１１４の圧力センサ１１７から筆圧を検知する（ステップＳ１０８参照）。さらに、電子ペン１Ａは、認識したストロークが閉領域を形成していると判定し（ステップＳ１０９参照）、かつ、閉領域内に記入用電子ペン部１０４により描かれたストロークが存在すると判定する（ステップＳ１１０参照）。従って、電子ペン１Ａは、閉領域内に描かれたストロークに関する記入情報をコンピュータ装置３へ送信し（ステップＳ１１１参照）、送信した記入情報及び閉領域を形成するストロークの記入情報を削除する（ステップＳ１１２参照）。
【００６７】
コンピュータ装置３では、電子ペン１Ａから記入情報を受信すると、図９（Ｂ）に示すように、処理手段３４は、受信した記入情報から認識されるストロークをコンピュータ装置画面３６０に表示させる。また、プロジェクタ４は、コンピュータ装置３から送信された画像信号に基づき、コンピュータ装置画面３６０と同じ画像をドットスクリーン５に投影する。
【００６８】
このように、電子ペン１Ａのユーザは、ドットパターン用紙２に書いた内容のうち、表示させたい部分を任意のタイミングに基づき任意の範囲で定め、当該部分をドットスクリーン５等に表示させることが可能となる。
【００６９】
［第１実施形態の送信ストローク特定システムによる作用効果］
第１実施形態の送信ストローク特定システムによれば、電子ペン１Ａは、ドットパターンを読み取り、手書きのストロークに関する記入情報を生成する記入用電子ペン部１０４と、記入用電子ペン部１０４により生成された記入情報から、送信すべき記入情報を指定するための記入情報を生成する領域指定用電子ペン部１１４とのいずれかのペン先を筺体から突出させることが可能である。従って、この構成によれば、ユーザは、電子ペン１Ａの記入用電子ペン部１０４を用いて、ドットパターン用紙２に書込みを行った後、必要な記入部分を領域指定用電子ペン部１１４により指定することが可能となる。従って、電子ペン１Ａは、記入用電子ペン部１０４により記入した内容から、ユーザの任意のタイミングで任意の範囲のストロークを特定させてドットスクリーン５に表示させることができる。また、送信ストローク特定システムは、領域指定用電子ペン部１１４を使用させてストロークを特定させることで、記入情報を送信する意思があることを確認することができるため、誤って記入情報を送信してしまうのを確実に防止することが可能となる。
【００７０】
［変形例］
次に、本実施形態の変形例について説明する。以下の変形例は、任意に組み合わせて上述の第１実施形態に適用してもよい。
【００７１】
（変形例１）
図４〜図６に示す電子ペン１Ａは、ノック操作により、記入用電子ペン部１０４及び領域指定用電子ペン部１１４の突出状態と収納状態とを切り替え可能なノック式の複合ペンであった。しかし、本発明が適用可能な構成は、これに限定されない。
【００７２】
図１０は、第１実施形態の変形例１に係る電子ペン１Ａの概略構成図である。図１０に示すように、ペン部側筺体１０１Ａがノック操作側筺体１０１Ｂに対して、両矢印「Ｙｘ」の方向に回転することにより、電子ペン１Ａは、第１の状態と、第２の状態と、第３の状態との間で遷移する。このように、ペン部側筺体１０１Ａの回転動作により、開口部１０２から突出するペン先部１０３、１１３が切り替わる態様であっても、ユーザは、電子ペン１Ａにより、好適に、記入用電子ペン部１０４と領域指定用電子ペン部１１４との両方を切り替えて使用することができる。
【００７３】
（変形例２）
図８のステップＳ１０８において、電子ペン１Ａは、圧力センサ１０７、１１７のいずれから筆圧を検知したか判定することにより、記入用電子ペン部１０４又は領域指定用電子ペン部１１４のいずれが使用されたか判定した。これに代えて、電子ペン１Ａは、ペン先部１０３又はペン先部１１３のいずれが突出状態かを検知するノック検知部を備え、当該ノック検知部の検知信号に基づき、記入用電子ペン部１０４又は領域指定用電子ペン部１１４のいずれが使用されたか判定してもよい。
【００７４】
図１１は、図６に対応する変形例に係る電子ペン１Ａの断面図の一例である。図１１に示すように、電子ペン１Ａは、ノック検知部１４０を備える。ノック検知部１４０は、ノック操作部１２９、１３９へのノック操作により領域指定用電子ペン部１１４のペン先部１１３が突出状態又は収納状態のいずれに遷移したかを検知する。例えば、ノック検知部１４０は、ペン先部１１３の状態を遷移させるノック操作が行われた場合、圧力センサ１１７の移動を検知することで、ペン先部１１３が突出状態又は収納状態のいずれに遷移したかを検知する。そして、ノック検知部１４０は、ペン先部１１３が突出状態であるか否かを示す検知信号をプロセッサ１０８へ伝送する。なお、ノック検知部１４０は、これに代えて、又はこれに加えて、記入用電子ペン部１０４のペン先部１０３が突出状態又は収納状態のいずれに遷移したかを検知してもよい。
【００７５】
また、ノック検知部１４０は、ペン先部１０３及びペン先部１１３の両方の状態を検知可能であってもよい。図１２は、記入用電子ペン部１０４及び領域指定用電子ペン部１１４に設けられた構造を示す。図１２に示すように、記入用電子ペン部１０４は、８字型回動部１５１の孔１５２を通る位置に延在し、かつ、孔１５２よりも大きなナット状の形状を有するナット状部材１５５が、孔１５２よりもバネ１２０側の記入用電子ペン部１０４に固定されている。同様に、領域指定用電子ペン部１１４は、８字型回動部１５１に設けられた孔１５３を通る位置に延在し、かつ、孔１５３よりも大きなナット状の形状を有するナット状部材１５６が、孔１５３よりもバネ１３０側の領域指定用電子ペン部１１４に固定されている。また、８字型回動部１５１は、基板１００に設けられたロータリースイッチに相当するノック検出部１４０と連通した軸部１５０を回動軸として、軸部１５０と共に回動する。
【００７６】
そして、ノック操作により、記入用電子ペン部１０４がペン先方向へ移動した場合、８字型回動部１５１の孔１５２の形成部分がナット状部材１５５によりペン先方向へ押し出され、８字型回動部１５１は、矢印「Ｙ１」の方向に軸部１５０と共に回動する。この場合、ロータリースイッチであるノック検知部１４０は、軸部１５０の状態（位相）に基づき、記入用電子ペン部１０４が突出状態であることを検知する。一方、ノック操作により、領域指定用電子ペン部１１４がペン先方向へ移動した場合、８字型回動部１５１の孔１５３の形成部分がナット状部材１５６によりペン先方向へ押し出され、８字型回動部１５１は、矢印「Ｙ２」の方向に軸部１５０と共に回動する。この場合、ノック検知部１４０は、軸部１５０の状態（位相）に基づき、領域指定用電子ペン部１１４が突出状態であり、記入用電子ペン部１０４が収納状態であることを検知する。なお、記入用電子ペン部１０４及び領域指定用電子ペン部１１４が共に収納状態の場合には、８字型回動部１５１及び軸部１５０は、矢印Ｙ１及び矢印Ｙ２のいずれの方向にも傾いていない平衡状態となる。この場合、ノック検知部１４０は、軸部１５０の位相に基づき、領域指定用電子ペン部１１４のペン先部１１３及び記入用電子ペン部１０４のペン先部１０３が共に収納状態であることを検知する。
【００７７】
他の例では、ノック検知部１４０は、歪ゲージであってもよい。この場合、ノック検知部１４０は、例えば、圧力センサ１１７と基板１００のプロセッサ１０８とを接続する図示しない導線に設けられる。そして、ノック検知部１４０は、領域指定用電子ペン部１１４のペン先方向及びその反対方向への移動に基づく導線の歪み（伸縮）の変化を検出し、領域指定用電子ペン部１１４のペン先部１１３の突出状態及び収納状態を検知する。
【００７８】
（変形例３）
図４〜６に示す構成に加え、電子ペン１Ａは、さらに音声出力を行うスピーカを備え、図８のステップＳ１１１で記入情報を送信する際に、「送信します」などの記入情報を送信する旨の音声出力を行ってもよい。これにより、電子ペン１Ａは、記入情報が送信されたことをユーザに確実に認識させることができる。
【００７９】
（変形例４）
電子ペン１Ａは、文字認識機能を備え、記入情報に代えて、当該記入情報により認識されるストロークから文字認識した文字コードをコンピュータ装置３へ送信してもよい。具体的には、電子ペン１Ａは、図８に示すフローチャートのステップＳ１１１で、閉領域内に記入用電子ペン部１０４によって描かれたストロークから文字認識し、認識した文字の文字コードをコンピュータ装置３へ送信する。そして、コンピュータ装置３は、受信した文字コードに基づき表示画面中に文字を描画する。なお、この場合、電子ペン１Ａは、文字コードに加え、当該文字コードが示す文字のドットパターン用紙２上の位置を示す情報をコンピュータ装置３へ送信してもよい。これにより、コンピュータ装置３は、ドットパターン用紙２内での位置関係を保持したまま、閉領域内の文字を表示画面に描画することができる。
【００８０】
（変形例５）
図１に示す構成に代えて、又はこれに加えて、電子ペン１Ａは、携帯電話通信網により通信可能に構成され、携帯電話通信網とインターネットを介して閉領域内のストロークに関する記入情報をサーバ装置へ送信してもよい。図１３は、変形例に係る送信ストローク特定システムの構成を示す。図１３では、電子ペン１Ａは、例えば、ＳＩＭ（Ｓｕｂｓｃｒｉｂｅｒ  Ｉｄｅｎｔｉｔｙ  Ｍｏｄｕｌｅ）及び第３世代移動通信システムに対応したチップ（３Ｇチップ）が搭載される。そして、電子ペン１Ａは、図８のステップＳ１１１で、閉領域内のストロークに関する記入情報を、基地局７へ送信する。そして、サーバ装置９は、携帯電話通信網とインターネットで構成されるネットワーク８を介して記入情報を受信し、当該記入情報を記憶する。サーバ装置９は、本発明における「受信装置」の一例である。
【００８１】
このように、変形例５の構成によれば、送信ストローク特定システムは、電子ペン１Ａと、記入情報を受信するサーバ装置９とが直接無線通信を行うことができない場合であっても、好適に、ネットワーク８を介して特定の記入情報の授受を行うことができる。なお、ネットワーク８の携帯電話通信網に代えて、電子ペン１Ａは、無線通信によりアクセスポイントなどの受信機に記入情報を送信し、インターネットなどの携帯電話通信網以外の通信網を介してサーバ装置９へ記入情報を送信してもよい。
【００８２】
（変形例６）
図８等の説明では、電子ペン１Ａは、１ストロークにより形成された閉領域内のストロークに関する記入情報をコンピュータ装置３へ送信した。しかし、本発明が適用可能な方法は、これに限定されない。これに加えて、電子ペン１Ａは、複数のストロークにより形成された閉領域内のストロークに関する記入情報をコンピュータ装置３へ送信してもよい。
【００８３】
（変形例７）
記入情報を送信する対象となるストロークを特定するために使用される領域指定用電子ペン部１１４は、ペン先部１１３によりインクが出るようにインクカートリッジが充填されていてもよい。この場合、好適には、領域指定用電子ペン部１１４は、記入用電子ペン部１０４と異なる色のインクが充填される。例えば、記入用電子ペン部１０４に黒色のインクが充填されていた場合には、領域指定用電子ペン部１１４には、青色や黄色などの黒より目立ちにくい色のインクが充填される。このようにすることで、ユーザは、電子ペン１Ａを用いて、領域指定用電子ペン部１１４により、記入情報を送信する対象となるストロークを特定するための閉領域のストロークを、視覚で確認しながら容易に記入することができる。
【００８４】
（変形例８）
上記第１実施形態において、アノト方式のコード化パターン（ドットパターン）を用いたが、位置座標を示すコード化パターンであればよく、アノト方式に限られない。
【００８５】
＜第２実施形態＞
次に、第２実施形態について説明する。図１４は、第２実施形態に係る送信ストローク特定システムの構成を示す。第２実施形態の送信ストローク特定システムは、端末装置６を備え、電子ペン１Ａから送信された記入情報のうち、送信する記入情報を特定する処理を端末装置６が行う点で、第１実施形態の送信ストローク特定システムと異なる。その他、第１実施形態と同様の部分については、同一の符号を付し、適宜その説明を省略する。
【００８６】
第２実施形態では、電子ペン１Ａは、電子ペン１Ｂと同様に、生成した記入情報を、Ｂｌｕｅｔｏｏｔｈ（登録商標）などの無線送信によって、通信ユニット１１１により、即時的かつ逐次的に端末装置６へ送信する。このとき、電子ペン１Ａは、圧力センサ１０７、１１７から検出する筆圧に基づき、記入用電子ペン部１０４又は領域指定用電子ペン部１１４のいずれにより記入されたかを示す情報（「ペン使用情報Ｉｐ」とも呼ぶ。）を生成し、端末装置６へ送信する記入情報に含める。
【００８７】
ここで、端末装置６について、具体的に説明する。図１５は、端末装置６の機能的な構成を示す概略図である。端末装置６は、ハードウェアとして、電子ペン１Ａとのデータ通信が可能なアンテナ装置、ＣＰＵ等のプロセッサ、ＲＯＭやＲＡＭといったメモリ、ディスプレイ等で構成される。なお、端末装置６は、ｉＰａｄ（登録商標）などのタブレットＰＣやＰＤＡ（Ｐｅｒｓｏｎａｌ  Ｄａｔａ  Ａｓｓｉｓｔａｎｃｅ）、またはディスプレイを備えるＰＣ（パーソナルコンピュータ）等で構成されてもよい。
【００８８】
端末装置６は、機能的には、タッチパネルといった入力手段６１、通信手段６２、６７、記憶手段６３、処理手段６４、表示手段６６を備える。通信手段６２は、アンテナ受信回路等により構成され、電子ペン１Ａから記入情報を受信し、受信した情報を処理手段６４に伝送する。表示手段６６は、ディスプレイ等によって構成され、処理手段６４によって指示された内容を表示する。通信手段６７は、処理手段６４の処理命令に基づき、Ｗｉ−Ｆｉ（登録商標）などの無線通信により、電子ペン１Ａから受信した記入情報のうち特定の記入情報をコンピュータ装置３へ送信する。
【００８９】
処理手段６４は、ＣＰＵ等のプロセッサによって構成され、端末装置６の全体の制御を行う。具体的には、電子ペン１Ａによって、ドットパターン用紙２への記入の際にドットパターンを読み取ることによって生成された記入情報を、端末装置６が受信すると、処理手段６４のストローク描画手段６４１は、記入情報に基づくストロークを表示手段６６に表示させる。
【００９０】
また、処理手段６４の送信制御手段６４２は、電子ペン１Ａから記入情報を受信した場合、当該記入情報に含まれるペン使用情報Ｉｐに基づき、当該記入情報が、領域指定用電子ペン部１１４の使用時に生成された記入情報であるか否か判定する。そして、領域指定用電子ペン部１１４が使用された際に生成された記入情報である場合、当該記入情報から認識されるストロークが閉領域を形成するか否か判定し、ストロークが閉領域を形成すると判定した場合には、閉領域内に記入用電子ペン部１０４により描かれたストロークに関する記入情報をコンピュータ装置３へ送信する。この具体的な処理については、「処理フロー」及び「具体例」のセクションで詳しく説明する。
【００９１】
記憶手段６３は、ＲＯＭやＲＡＭといったメモリによって構成される。記憶手段６３は、処理手段６４の処理命令により、電子ペン１Ａから受信した記入情報をペンＩＤ毎に記憶する。また、記憶手段６３は、ドットパターン用紙２に対応するドットパターンの座標範囲を示す座標定義情報を記憶する。
【００９２】
［処理フロー］
次に、第２実施形態の端末装置６による処理フローについて説明する。図１６は、端末装置６が実行する処理フローを示すフローチャートである。図１６に示す処理フローは、電子ペン１Ａから記入情報を受信するごとに繰り返し実行される。
【００９３】
まず、ユーザが、ドットパターン用紙２に対し、電子ペン１Ａで文字の記入をすると、電子ペン１Ａは、ドットパターン用紙２に印刷されたドットパターンを認識して、座標属性情報とペンＩＤ等を対応付けて記入情報を生成し、端末装置６へ送信する。端末装置６では、通信手段６２が記入情報を受信すると、処理手段６４は、記憶手段６３に当該記入情報を記憶させる（ステップＳ２０１）。
【００９４】
次に、処理手段６４は、受信した記入情報が示すペン使用情報Ｉｐに基づき、記入用電子ペン部１０４又は領域指定用電子ペン部１１４のいずれが使用されたか判定する（ステップＳ２０２）。そして、記入用電子ペン部１０４が使用されたと判定した場合（ステップＳ２０２：記入用ペン部）、処理手段６４のストローク描画手段６４１は、記入情報により認識したストロークを表示手段６６にリアルタイムで描画させる（ステップＳ２０３）。
【００９５】
一方、領域指定用電子ペン部１１４が使用されたと判定した場合（ステップＳ２０２：領域指定用ペン部）、処理手段６４の送信制御手段６４２は、ペンアップからペンダウンまでに受信した記入情報の座標情報からストロークを認識し、認識されたストロークが閉領域を形成しているか否か判定する（ステップＳ２０４）。そして、当該ストロークが閉領域を形成していない場合には（ステップＳ２０４；Ｎｏ）、送信制御手段６４２は、フローチャートの処理を終了する。一方、当該ストロークが閉領域を形成している場合（ステップＳ２０４；Ｙｅｓ）、送信制御手段６４２は、閉領域内に記入用電子ペン部１０４により描かれたストロークが存在するか否か判定し（ステップＳ２０５）、閉領域内に記入用電子ペン部１０４により描かれたストロークが存在しない場合には（ステップＳ２０５；Ｎｏ）、フローチャートの処理を終了する。一方、閉領域内に記入用電子ペン部１０４により描かれたストロークが存在する場合には（ステップＳ２０５；Ｙｅｓ）、送信制御手段６４２は、通信手段６７により、閉領域に描かれたストロークに関する記入情報をコンピュータ装置３へ送信する（ステップＳ２０６）。
【００９６】
［具体例］
次に、図１６のフローチャートに示す処理の具体例について、図１７（Ａ）〜（Ｃ）を参照してさらに詳しく説明する。図１７（Ａ）は、電子ペン１Ａにより既に記入されたストロークを囲む閉領域のストロークが記入された後のドットパターン用紙２の状態を示し、図１７（Ｂ）は、端末装置６の表示手段６６が表示する端末装置画面６６０を示し、図１７（Ｃ）は、コンピュータ装置３の表示手段３６が表示するコンピュータ装置画面３６０を示す。
【００９７】
図１７（Ａ）に示すように、まず、ユーザは、記入用電子ペン部１０４のペン先部１０３を突出状態にして、電子ペン１Ａにより、ドットパターン用紙２に必要なメモ書き等を行う。この場合、電子ペン１Ａは、記入情報を生成し、当該記入情報を端末装置６へ即時的かつ逐次的に送信し、端末装置６は、当該記入情報を通信手段６２により受信し、記憶手段６３に記憶させる（ステップＳ２０１参照）。そして、端末装置６は、電子ペン１Ａから送信される記入情報に基づき認識したストロークを端末装置画面６６０にリアルタイムで表示させる（ステップＳ２０３参照）。
【００９８】
次に、ユーザは、ドットパターン用紙２に記載したメモ書きの一部を、コンピュータ装置画面３６０及びドットスクリーン５に表示させたいと思い、ノック操作により領域指定用電子ペン部１１４のペン先部１１３を突出状態にして、表示させたいメモ書きの一部を囲むように閉領域のストローク（破線枠２０参照）を電子ペン１Ａにより記入する。このとき、ドットパターン用紙２にはインクが付かないため、破線枠２０に相当する閉領域のストロークは視認されない。そして、端末装置６は、電子ペン１Ａから送信される記入情報のペン使用情報Ｉｐに基づき、当該記入情報が領域指定用電子ペン部１１４の使用時に生成されたと判定する（ステップＳ２０２参照）。このとき、好適には、端末装置６は、当該記入情報に基づき、領域指定用電子ペン部１１４により描かれたストロークを、破線６０に示すように端末装置画面６６０に表示する。これにより、電子ペン１Ａのユーザは、端末装置画面６６０を参照しつつ、領域指定用電子ペン部１１４により閉領域のストロークを容易に描くことができる。
【００９９】
次に、端末装置６は、認識したストロークが閉領域を形成していると判定し（ステップＳ２０４参照）、かつ、閉領域内に記入用電子ペン部１０４により描かれたストロークが存在すると判定する（ステップＳ２０５参照）。従って、この場合、端末装置６は、閉領域内に描かれたストロークに関する記入情報をコンピュータ装置３へ送信する（ステップＳ２０６参照）。
【０１００】
コンピュータ装置３では、端末装置６から記入情報を受信すると、図１７（Ｃ）に示すように、処理手段３４は、受信した記入情報から認識されるストロークをコンピュータ装置画面３６０に表示させる。また、プロジェクタ４は、コンピュータ装置３から送信された画像信号に基づき、コンピュータ装置画面３６０と同じ画像をドットスクリーン５に投影する。このように、電子ペン１Ａのユーザは、ドットパターン用紙２に書いた内容のうち、表示させたい部分を任意のタイミングに基づき任意の範囲で定め、当該部分をドットスクリーン５等に表示させることが可能となる。
【０１０１】
［第２実施形態の送信ストローク特定システムによる作用効果］
第２実施形態の送信ストローク特定システムによれば、端末装置６は、電子ペン１Ａから受信した記入情報を記憶すると共に、記入情報に含まれるペン使用情報Ｉｐに基づき、記入用電子ペン部１０４又は領域指定用電子ペン部１１４のいずれの使用時に記入情報が生成されたか判定する。そして、端末装置６は、領域指定用電子ペン部１１４の使用時に生成された記入情報に基づき認識したストロークが閉領域を形成している場合に、当該閉領域内に記入用電子ペン部１０４により描かれたストロークに関する記入情報をコンピュータ装置３に送信する。このようにすることで、端末装置６は、ユーザの任意のタイミングで任意の範囲のストロークを特定させてドットスクリーン５に表示させることができる。また、端末装置６は、領域指定用電子ペン部１１４を使用させてストロークを特定させることで、記入情報を送信する意思があることを確認することができるため、誤って記入情報を送信してしまうのを確実に防止することが可能となる。
【０１０２】
［第２実施形態の変形例］
次に、第２実施形態の変形例について説明する。第２実施形態では、第１実施形態の変形例１、２、６〜８に加え、以下の変形例９〜１２を任意に組み合わせて適用可能である。
【０１０３】
（変形例９）
図１５に示す構成に加え、端末装置６は、さらに音声出力を行うスピーカを備え、閉領域を構成するストロークを認識し、当該閉領域内のストロークに関する記入情報を送信する際に、「送信します」などの記入情報を送信する旨の音声出力を行ってもよい。これにより、端末装置６は、記入情報が送信されたことをユーザに確実に認識させることができる。
【０１０４】
（変形例１０）
端末装置６は、文字認識機能を備え、記入情報に代えて、当該記入情報により認識されるストロークから文字認識した文字コードをコンピュータ装置３へ送信してもよい。具体的には、この場合、図１６のステップＳ２０５で閉領域内に所定量以上のストロークが描かれていると判定した後、端末装置６は、ステップＳ２０６で、閉領域内に描かれたストロークから文字認識し、認識した文字の文字コードをコンピュータ装置３へ送信する。そして、コンピュータ装置３は、受信した文字コードに基づき表示画面中に文字を描画する。なお、この場合、端末装置６は、文字コードに加え、当該文字コードが示す文字のドットパターン用紙２上の位置を示す情報をコンピュータ装置３へ送信してもよい。これにより、コンピュータ装置３は、ドットパターン用紙２内での位置関係を保持したまま、閉領域内の文字を表示画面に描画することができる。
【０１０５】
（変形例１１）
端末装置６は、図１６のフローチャートのステップＳ２０６において、コンピュータ装置３へ記入情報を送信した。これに代えて、端末装置６は、当該記入情報により認識されるストロークを表示した画像データを生成し、当該画像データをコンピュータ装置３へ送信してもよい。この態様によっても、コンピュータ装置３は、受信した画像データを表示画面中に表示することで、ユーザが指定したストロークを好適に表示することができる。なお、この場合、端末装置６は、画像データに加え、当該画像データのドットパターン用紙２における位置及び範囲を示す情報をコンピュータ装置３へ送信してもよい。これにより、コンピュータ装置３は、ドットパターン用紙２内での位置関係を保持したまま、閉領域内の文字を表示画面に描画することができる。
【０１０６】
（変形例１２）
図１４に示す構成に代えて、又はこれに加えて、端末装置６は、無線通信によりインターネットなどの通信網を介して記入情報をサーバ装置へ送信してもよい。図１８は、変形例に係る送信ストローク特定システムの構成を示す。図１８では、端末装置６は、閉領域を形成するストロークを認識した場合に、Ｗｉ−Ｆｉ（登録商標）などにより、アクセスポイントなどの受信機１０へ、閉領域内のストロークに関する記入情報を送信する。そして、サーバ装置９は、通信網を介して記入情報を受信し、当該記入情報を記憶する。
【０１０７】
このように、変形例１２の構成によれば、送信ストローク特定システムは、電子ペン１Ａと、記入情報を受信するサーバ装置９とが直接無線通信を行うことができない場合であっても、好適に、通信網を介して特定の記入情報の授受を行うことができる。なお、端末装置６は、ＳＩＭ及び第３世代移動通信システムに対応したチップ（３Ｇチップ）を搭載し、携帯電話通信網やインターネットを介してサーバ装置９へ記入情報を送信してもよい。
【符号の説明】
【０１０８】
１（１Ａ、１Ｂ）…電子ペン
２…ドットパターン用紙
３…コンピュータ装置
４…プロジェクタ
５…ドットスクリーン
６…端末装置
７…基地局
８…携帯電話通信網
９…サーバ装置
１０…受信機
【図２】
2012256088.tif 000003
【図３】
2012256088.tif 000004
【図４】
2012256088.tif 000005
【図５】
2012256088.tif 000006
【図６】
2012256088.tif 000007
【図７】
2012256088.tif 000008
【図８】
2012256088.tif 000009
【図９】
2012256088.tif 000010
【図１０】
2012256088.tif 000011
【図１１】
2012256088.tif 000012
【図１２】
2012256088.tif 000013
【図１５】
2012256088.tif 000014
【図１６】
2012256088.tif 000015
【図１７】
2012256088.tif 000016
【図１】
2012256088.tif 000017
【図１３】
2012256088.tif 000018
【図１４】
2012256088.tif 000019
【図１８】
2012256088.tif 000020